【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
ＰＴＦＥを含むガスケットであり、
厚さが、約１．５ｍｍ〜約９ｍｍの範囲であり、
圧縮率が、少なくとも約４０％であり、
ボルト負荷保持率対厚さが、図１８に示され且つ下表に定義されるＡ点とＢ点とを結ぶ線に等しいか、又はそれよりも大きい、ガスケット：
点        ＲＴでのＢＬＲ％        厚さ
Ａ                ９２％            １．５ｍｍ
Ｂ                ５２％            ９ｍｍ
【請求項２】
前記ガスケットの結晶度指数が、少なくとも約６０％である、請求項１に記載のガスケット。
【請求項３】
前記ガスケットの少なくとも一方向の引張強さが、少なくとも約５，５００ｐｓｉ（３７．９ＭＰａ）である、請求項１に記載のガスケット。
【請求項４】
前記ガスケットのデューロメーターが、約８５以下である、請求項１に記載のガスケット。
【請求項５】
前記ガスケットのマトリックスの引張強さが、少なくとも約２２，０００ｐｓｉ（１５１．７ＭＰａ）である、請求項１に記載のガスケット。
【請求項６】
前記ガスケットが、実質的にＰＴＦＥからなる、請求項１に記載のガスケット。
【請求項７】
前記ガスケットのボルト負荷保持率対厚さが、図１８に示され且つ下表に定義されるＣ点とＤ点とを結ぶ線に等しいか、又はそれよりも大きい、請求項１に記載のガスケット：
点        ＲＴでのＢＬＲ％        厚さ
Ｃ                ９３％            １．５ｍｍ
Ｄ                ７０％            ９ｍｍ
【請求項８】
前記ガスケットの結晶度指数が、少なくとも約６０％である、請求項７に記載のガスケット。
【請求項９】
前記ガスケットの少なくとも一方向の引張強さが、少なくとも約５，５００ｐｓｉ（３７．９ＭＰａ）である、請求項７に記載のガスケット。
【請求項１０】
前記ガスケットのデューロメーターが、約７以下である、請求項７に記載のガスケット。
【請求項１１】
前記ガスケットのマトリックスの引張強さが、少なくとも約２２，０００ｐｓｉ（１５１．７ＭＰａ）である、請求項７に記載のガスケット。
【請求項１２】
前記ガスケットが、実質的にＰＴＦＥからなる、請求項７に記載のガスケット。
【請求項１３】
ＰＴＦＥを含むガスケットであって、公称厚さが１．５ｍｍであり、ボルト負荷保持率が少なくとも約９１％であり、圧縮率が少なくとも４０％である、ガスケット。
【請求項１４】
ＰＴＦＥを含むガスケットであって、公称厚さが２ｍｍであり、ボルト負荷保持率が少なくとも約９０％であり、圧縮率が少なくとも４０％である、ガスケット。
【請求項１５】
ＰＴＦＥを含むガスケットであって、公称厚さが３ｍｍであり、ボルト負荷保持率が少なくとも約８５％であり、圧縮率が少なくとも４０％である、ガスケット。
【請求項１６】
ＰＴＦＥを含むガスケットであって、公称厚さが６ｍｍであり、ボルト負荷保持率が少なくとも約６５％であり、圧縮率が少なくとも４０％である、ガスケット。
【請求項１７】
ＰＴＦＥを含むガスケットであって、公称厚さが１．５ｍｍであり、ボルト負荷保持率が少なくとも約９１％であり、デューロメーターが８５以下である、ガスケット。
【請求項１８】
ＰＴＦＥを含むガスケットであって、公称厚さが２ｍｍであり、ボルト負荷保持率が少なくとも約９０％であり、デューロメーターが８５以下である、ガスケット。
【請求項１９】
ＰＴＦＥを含むガスケットであって、公称厚さが３ｍｍであり、ボルト負荷保持率が少なくとも約８５％であり、デューロメーターが８５以下である、ガスケット。
【請求項２０】
ＰＴＦＥを含むガスケットであって、公称厚さが６ｍｍであり、ボルト負荷保持率が少なくとも約６５％であり、デューロメーターが８５以下である、ガスケット。
【請求項２１】
ＰＴＦＥを含むガスケットであって、公称厚さが１ｍｍであり、ボルト負荷保持率が少なくとも約９３％であり、圧縮率が少なくとも４０％であり、結晶度指数が少なくとも約６０％である、ガスケット。
【請求項２２】
ＰＴＦＥを含むガスケットであって、公称厚さが１ｍｍであり、ボルト負荷保持率が少なくとも約９３％であり、圧縮率が少なくとも４０％であり、少なくとも一方向の引張強さが少なくとも約５，５００ｐｓｉ（３７．９ＭＰａ）である、ガスケット。
【請求項２３】
前記ガスケットの結晶度指数が、少なくとも約６０％である、請求項１３に記載のガスケット。
【請求項２４】
前記ガスケットの少なくとも一方向の引張強さが、少なくとも約５，５００ｐｓｉ（３７．９ＭＰａ）である、請求項１３に記載のガスケット。
【請求項２５】
前記ガスケットの結晶度指数が、少なくとも約６０％である、請求項１４に記載のガスケット。
【請求項２６】
前記ガスケットの少なくとも一方向の引張強さが、少なくとも約５，５００ｐｓｉ（３７．９ＭＰａ）である、請求項１４に記載のガスケット。
【請求項２７】
前記ガスケットの結晶度指数が、少なくとも約６０％である、請求項１５記載のガスケット。
【請求項２８】
前記ガスケットの少なくとも一方向の引張強さが、少なくとも約５，５００ｐｓｉ（３７．９ＭＰａ）である、請求項１５に記載のガスケット。
【請求項２９】
前記ガスケットの結晶度指数が、少なくとも約６０％である、請求項１６に記載のガスケット。
【請求項３０】
前記ガスケットの少なくとも一方向の引張強さが、少なくとも約５，５００ｐｓｉ（３７．９ＭＰａ）である、請求項１６に記載のガスケット。
【請求項３１】
前記ガスケットの結晶度指数が、少なくとも約６０％である、請求項１７に記載のガスケット。
【請求項３２】
前記ガスケットの少なくとも一方向の引張強さが、少なくとも約５，５００ｐｓｉ（３７．９ＭＰａ）である、請求項１７に記載のガスケット。
【請求項３３】
前記ガスケットの結晶度指数が、少なくとも約６０％である、請求項１８に記載のガスケット。
【請求項３４】
前記ガスケットの少なくとも一方向の引張強さが、少なくとも約５，５００ｐｓｉ（３７．９ＭＰａ）である、請求項１８に記載のガスケット。
【請求項３５】
前記ガスケットの結晶度指数が、少なくとも約６０％である、請求項１９に記載のガスケット。
【請求項３６】
前記ガスケットの少なくとも一方向の引張強さが、少なくとも約５，５００ｐｓｉ（３７．９ＭＰａ）である、請求項１９に記載のガスケット。
【請求項３７】
前記ガスケットの結晶度指数が、少なくとも約６０％である、請求項２０に記載のガスケット。
【請求項３８】
前記ガスケットの少なくとも一方向の引張強さが、少なくとも約５，５００ｐｓｉ（３７．９ＭＰａ）である、請求項２０に記載のガスケット。
【請求項３９】
ＰＴＦＥを含むガスケットであって、
公称厚さが、３ｍｍであり、
少なくとも一方向の引張強さが、少なくとも４，５００ｐｓｉ（３１．０ＭＰａ）であり、
ボルト負荷保持率が、少なくとも８５％であり、
シール応力が、３５００ｐｓｉ（２４．１ＭＰａ）以下である、
ガスケット。
【請求項４０】
少なくとも一方向における前記引張強さが、少なくとも５，５００ｐｓｉ（３７．９ＭＰａ）である、請求項３９に記載のガスケット。
【請求項４１】
前記引張強さが、少なくとも６，０００ｐｓｉ（４１．４ＭＰａ）である、請求項３９に記載のガスケット。
【請求項４２】
前記引張強さが、少なくとも７，０００ｐｓｉ（４８．３ＭＰａ）である、請求項３９に記載のガスケット。
【請求項４３】
前記ガスケットが、複数のＰＴＦＥ膜を備えている、請求項３９に記載のガスケット。
【請求項４４】
前記ガスケットが、少なくとも１層の剛体層を備えている、請求項３９に記載のガスケット。
【請求項４５】
前記剛体層が、ＰＴＦＥを含む、請求項３９に記載のガスケット。
【請求項４６】
ＦＩＰ（ｆｏｒｍ−ｉｎ−ｐｌａｃｅ）テープの形態である、請求項３９に記載のガスケット。
【請求項４７】
ＰＴＦＥを含むガスケットであって、
公称厚さが、１．５ｍｍであり、
少なくとも一方向の引張強さが、少なくとも４，５００ｐｓｉ（３１．０ＭＰａ）であり、
ボルト負荷保持率が、少なくとも９１％であり、
シール応力が、３５００ｐｓｉ（２４．１ＭＰａ）以下である、
ガスケット。
【請求項４８】
少なくとも一方向における前記引張強さが、少なくとも５，５００ｐｓｉ（３７．９ＭＰａ）である、請求項４７に記載のガスケット。
【請求項４９】
前記引張強さが、少なくとも６，０００ｐｓｉ（４１．４ＭＰａ）である、請求項４７に記載のガスケット。
【請求項５０】
前記引張強さが、少なくとも７，０００ｐｓｉ（４８．３ＭＰａ）である、請求項４７に記載のガスケット。
【請求項５１】
前記ガスケットが、複数のＰＴＦＥ膜を備えている、請求項４７に記載のガスケット。
【請求項５２】
前記ガスケットが、少なくとも１層の剛体層を備えている、請求項４７に記載のガスケット。
【請求項５３】
前記剛体層が、ＰＴＦＥを含む、請求項４７に記載のガスケット。
【請求項５４】
ＦＩＰ（ｆｏｒｍ−ｉｎ−ｐｌａｃｅ）テープの形態である、請求項４７に記載のガスケット。
【請求項５５】
ＰＴＦＥを含むガスケットであって、前記ＰＴＦＥの少なくとも一方向の引張強さが少なくとも約５，５００ｐｓｉ（３７．９ＭＰａ）であり、圧縮率が少なくとも約４０％である、ガスケット。
【請求項５６】
少なくとも一方向の引張強さが、少なくとも約６，０００ｐｓｉ（４１．４ＭＰａ）である、請求項５５に記載のガスケット。
【請求項５７】
少なくとも一方向の引張強さが、少なくとも約７，０００ｐｓｉ（４８．３ＭＰａ）である、請求項５５に記載のガスケット。
【請求項５８】
前記ガスケットが、複数のＰＴＦＥ膜を備えている、請求項５５に記載のガスケット。
【請求項５９】
前記ガスケットが、少なくとも１層の剛体層を備えている、請求項５５に記載のガスケット。
【請求項６０】
前記剛体層が、ＰＴＦＥを含む、請求項５９に記載のガスケット。
【請求項６１】
ＰＴＦＥを含むガスケットであって、前記ＰＴＦＥの少なくとも一方向の引張強さが少なくとも約５，５００ｐｓｉ（３７．９ＭＰａ）であり、デューロメーターが８５以下である、ガスケット。
【請求項６２】
少なくとも一方向の引張強さが、少なくとも約６，０００ｐｓｉ（４１．４ＭＰａ）である、請求項６１に記載のガスケット。
【請求項６３】
少なくとも一方向の引張強さが、少なくとも約７，０００ｐｓｉ（４８．３ＭＰａ）である、請求項６１に記載のガスケット。
【請求項６４】
前記ガスケットが、複数のＰＴＦＥ膜を備えている、請求項６１に記載のガスケット。
【請求項６５】
前記ガスケットが、少なくとも１層の剛体層を備えている、請求項６１に記載のガスケット。
【請求項６６】
前記剛体層が、ＰＴＦＥを含む、請求項６１に記載のガスケット。
【請求項６７】
ＰＴＦＥから実質的になるガスケットであって、ボルト負荷保持率が、公称厚さ３ｍｍについて少なくとも約８５％である、ガスケット。
【請求項６８】
ＰＴＦＥから実質的になるガスケットであって、ボルト負荷保持率が、公称厚さ１．５ｍｍについて少なくとも約９１％である、ガスケット。
【請求項６９】
ＰＴＦＥから実質的になるガスケットであって、マトリックスの引張強さが少なくとも約２２，０００ｐｓｉ（１５１．７ＭＰａ）である、ガスケット。
【請求項７０】
前記マトリックスの引張強さが少なくとも約２５，０００ｐｓｉ（１７２．４ＭＰａ）である、請求項６９に記載のガスケット。
【請求項７１】
ＰＴＦＥから実質的になるガスケットであって、クリープが５．０％未満であり、公称厚さが１．５ｍｍである、ガスケット。
【請求項７２】
ＰＴＦＥを含むガスケットであって、圧縮率が少なくとも約４０％であり、クリープが５％未満であり、公称厚さが１．５ｍｍである、ガスケット。
【請求項７３】
ＰＴＦＥを含むガスケットであって、デューロメーターが８５以下であり、クリープが５％未満であり、公称厚さが１．５ｍｍである、ガスケット。
【請求項７４】
ＰＴＦＥを含むガスケットであって、公称厚さが１．５ｍｍであり、少なくとも一方向の引張強さが少なくとも約５，５００ｐｓｉ（３７．９ＭＰａ）であり、クリープが５％未満である、ガスケット。
【請求項７５】
少なくとも一方向の引張強さが、少なくとも約６，０００ｐｓｉ（４１．４ＭＰａ）である、請求項７４に記載のガスケット。
【請求項７６】
少なくとも一方向の引張強さが、少なくとも約７，０００ｐｓｉ（４８．３ＭＰａ）である、請求項７４に記載のガスケット。
【請求項７７】
ＰＴＦＥを含むガスケットであって、公称厚さが１．５ｍｍであり、ボルト負荷保持率が少なくとも約９１％であり、シール応力が３５００ｐｓｉ（２４．１ＭＰａ）未満か又はそれに等しい、ガスケット。
【請求項７８】
ＰＴＦＥを含むガスケットであって、公称厚さが３ｍｍであり、ボルト負荷保持率が少なくとも約８５％であり、シール応力が３５００ｐｓｉ（２４．１ＭＰａ）未満か又はそれに等しい、ガスケット。
【請求項７９】
ＰＴＦＥを含むガスケットであって、公称厚さが１．５ｍｍであり、ボルト負荷保持率が少なくとも約９１％であり、シール応力が１５００ｐｓｉ（１０．３ＭＰａ）未満か又はそれに等しい、ガスケット。
【請求項８０】
ＰＴＦＥを含むガスケットであって、公称厚さが３ｍｍであり、ボルト負荷保持率が少なくとも約８５％であり、シール応力が１５００ｐｓｉ（１０．３ＭＰａ）未満か又はそれに等しい、ガスケット。
【請求項８１】
ＰＴＦＥを含むガスケットであって、公称厚さが６ｍｍであり、ボルト負荷保持率が少なくとも約６５％であり、シール応力が１５００ｐｓｉ（１０．３ＭＰａ）未満か又はそれに等しい、ガスケット。
【請求項８２】
ＰＴＦＥを含むガスケットであって、公称厚さが１．５ｍｍであり、クリープが５％未満であり、シール応力が３５００ｐｓｉ（２４．１ＭＰａ）未満か又はそれに等しい、ガスケット。
【請求項８３】
シール応力が、１５００ｐｓｉ（１０．３ＭＰａ）未満又はそれと等しい、請求項８２に記載のガスケット。
【請求項８４】
ＰＴＦＥを含むガスケットであって、公称厚さが３ｍｍであり、少なくとも一方向の引張強さが、少なくとも５，５００ｐｓｉ（３７．９ＭＰａ）であり、シール応力が３５００ｐｓｉ（２４．１ＭＰａ）以下である、ガスケット。
【請求項８５】
少なくとも一方向の引張強さが、少なくとも６０００ｐｓｉ（４１．４ＭＰａ）である、請求項８４に記載のガスケット。
【請求項８６】
少なくとも一方向の引張強さが、少なくとも７０００ｐｓｉ（４８．３ＭＰａ）である、請求項８４に記載のガスケット。
【請求項８７】
シール応力が１５００ｐｓｉ（１０．３ＭＰａ）以下である、請求項８４に記載のガスケット。